(57)【要約】【課題】同じ運転者でも、その時々に応じた運転支援を可能とすると共に、安全度を向上するための情報に対する運転者の対応度に応じて情報内容を設定する。【解決手段】検出されたドライバの運転行動指標に基づいて運転を支援するためのメッセージをメッセージ作成部１５で作成して提示すると共に、過去に運転を支援するためのメッセージを提示したときのドライバの受容性レベルを受容性算出部１７で算出し、その算出されたドライバの受容性レベルに基づいて運転を支援するためのメッセージを設定する。ドライバの受容性レベルが高いほど、運転支援メッセージの明確さ指標を低く設定し、明確さ指標が高いほど、安全度を向上するためのメッセージの明確さを高め、ドライバの受容性レベルが低いほど、運転支援メッセージの提示機会を大きくする。過去に情報を提示したときのドライバの運転行動に基づいて、それまでの受容性レベルを修正する。【選択図】図１５
2010020365.tif 000002
【特許請求の範囲】
【請求項１】
運転者の運転行動を検出する運転行動検出手段と、前記運転行動検出手段で検出された運転者の運転行動に基づいて運転を支援するための情報を提示する情報提示手段と、前記情報提示手段から過去に運転を支援するための情報を提示したときの運転者の対応度合いから情報に対する運転者の受容性の程度を算出する受容性算出手段とを備え、前記情報提示手段は、前記受容性算出手段で算出された運転者の受容性の程度に基づいて運転を支援するための情報を設定することを特徴とする車両用運転支援装置。
【請求項２】
前記受容性算出手段で算出された運転者の受容性の程度に基づいて運転を支援する情報の明確さ指標を算出する明確さ算出手段を備え、前記情報提示手段は、前記明確さ算出手段で算出された明確さ指標に基づいて運転を支援するための情報の内容を設定することを特徴とする請求項１に記載の車両用運転支援装置。
【請求項３】
前記明確さ算出手段は、運転者の受容性の程度が高いほど、運転を支援する情報の明確さ指標を低く設定することを特徴とする請求項２に記載の車両用運転支援装置。
【請求項４】
前記情報提示手段は、前記明確さ算出手段で算出された明確さ指標が高いほど、安全度を向上するための情報の明確さを高めることを特徴とする請求項３に記載の車両用運転支援装置。
【請求項５】
前記情報提示手段は、前記明確さ算出手段で算出された明確さ指標が高いほど、安全度を向上するための情報を具体化することを特徴とする請求項４に記載の車両用運転支援装置。
【請求項６】
前記情報提示手段は、前記受容性算出手段で算出された運転者の受容性の程度が低いほど、運転を支援する情報提示の機会を大きくすることを特徴とする請求項１に記載の車両用運転支援装置。
【請求項７】
前記情報提示手段は、前記受容性算出手段で算出された運転者の受容性の程度が低いほど、運転を支援する情報提示手段を増やすことを特徴とする請求項６に記載の車両用運転支援装置。
【請求項８】
前記情報提示手段は、前記受容性算出手段で算出された運転者の受容性の程度が低いほど、運転を支援する情報提示の頻度を増やすことを特徴とする請求項６に記載の車両用運転支援装置。
【請求項９】
前記情報提示手段は、前記受容性算出手段で算出された運転者の受容性の程度が低く且つ現在の自車両の安全度が高い場合に、安全度が高い状態にある旨の情報を提示することを特徴とする請求項６に記載の車両用運転支援装置。
【請求項１０】
前記受容性算出手段は、運転者の受容性の程度を複数の段階に区分すると共に、運転者の受容性の程度を確定できないときには予め設定された初期の段階とすることを特徴とする請求項１に記載の車両用運転支援装置。
【請求項１１】
前記受容性算出手段は、前記情報提示手段から過去に情報を提示したときの運転行動検出手段で検出された運転者の運転行動に基づいて、それまでの運転者の受容性の段階を修正することで新たな運転者の受容性の段階を設定することを特徴とする請求項１０に記載の車両用運転支援装置。
【請求項１２】
前記受容性算出手段は、所定期間毎に運転者の受容性の程度の段階を初期化すると共に、初期化に際し、それまでの運転者の受容性の程度の段階に応じて初期化される運転者の受容性の程度の段階を設定することを特徴とする請求項１０に記載の車両用運転支援装置。
【請求項１３】
前記運転行動検出手段は、前記運転者の運転行動として、車両の走行状態、運転者の操作状態、道路状態、自車の位置、周辺車両との相対関係の何れか一以上の物理指標を用いることを特徴とする請求項１に記載の車両用運転支援装置。
【請求項１４】
前記運転者の運転行動としての物理指標は、予め設定された走行シーンでの物理指標であることを特徴とする請求項１３に記載の車両用運転支援装置。
【請求項１５】
前記情報提示手段は、現在から過去の所定長期間にわたって検出された運転者の運転行動としての物理指標の代表値と、現在から過去の所定短期間にわたって検出された運転者の運転行動としての物理指標の代表値との差分値に基づいて安全度の変化を求め、その安全度の変化に応じて運転を支援するための情報を設定することを特徴とする請求項１４に記載の車両用運転支援装置。
【請求項１６】
前記情報提示手段は、周辺環境又は運転環境に基づき、前記現在から過去の所定短期間で発生し得る安全度の変化を求め、その発生し得る安全度の変化に応じて前記差分値を補正することを特徴とする請求項１５に記載の車両用運転支援装置。
【請求項１７】
前記情報提示手段は、前記運転を支援するための情報に有効期限を設けたことを特徴とする請求項１に記載の車両用運転支援装置。
【発明の詳細な説明】
【技術分野】
【０００１】
本発明は、ドライバの運転を支援する車両用運転支援装置に関するものであり、特に安全度の向上のための情報を提示し得る車両用運転支援装置に好適なものである。
【背景技術】
【０００２】
このような車両用運転支援装置としては、例えば下記特許文献１に記載されるものがある。この車両用運転支援装置は、２段階目よりも１段階目の方が抑制された２段階の警報設定がある衝突警報装置において、ドライバの集中度を推定し、集中度が高い場合には２段階目の警報を発生するものである。また、下記特許文献２に記載される車両用運転支援装置は、一時停止位置や前方障害物に対する情報提供、警報、制御のタイミングを、ドライバの覚醒度や反応時間に影響を与えると考えられる諸要因（年齢、視力、運転経験、等）に応じて調整するものである。
【特許文献１】特開２００４−２３１０１７号公報
【特許文献２】特開２００５−２０９０７３号公報
【発明の開示】
【発明が解決しようとする課題】
【０００３】
しかしながら、前記特許文献１に記載される車両用運転支援装置では、衝突の可能性が高い場合にのみ情報を提供するだけであり、種々の周辺環境や走行環境、運転環境に応じた運転支援を行うことができない。また、前記特許文献２に記載される車両用運転支援装置では、ドライバ個々の特性に応じて運転支援を行うことはできるものの、同じドライバの、その時々に応じた運転支援を行うことはできない。
本発明はこれらの諸問題を解決すべくなされたものであり、同じ運転者でも、その時々に応じた運転支援を可能とすると共に、安全度を向上するための情報に対する運転者の対応度に応じて情報内容を設定することが可能な車両用運転支援装置を提供することを目的とするものである。
【課題を解決するための手段】
【０００４】
以上の課題を解決するため、本発明に係る車両用運転支援装置は、運転者の運転行動を検出し、その検出された運転者の運転行動に基づいて運転を支援するための情報を提示すると共に、過去に運転を支援するための情報を提示したときの運転者の対応度合いから情報に対する運転者の受容性の程度を算出し、その算出された運転者の受容性の程度に基づいて運転を支援するための情報を設定することを特徴とするものである。
【発明の効果】
【０００５】
本発明に係る車両用運転支援装置によれば、検出された運転者の運転行動に基づいて運転を支援するための情報を提示すると共に、過去に運転を支援するための情報を提示したときの運転者の対応度合いから情報に対する運転者の受容性の程度を算出し、その算出された運転者の受容性の程度に基づいて運転を支援するための情報を設定することとしたため、同じ運転者でも、その時々に応じた運転支援を可能とすると共に、安全度を向上するための情報に対する運転者の対応度に応じて情報内容を設定することができる。
【発明を実施するための最良の形態】
【０００６】
以下、図を参照して本発明の車両用運転支援装置の実施の形態について説明する。
［第１実施形態］
図１は、本実施形態の車両用運転支援装置が搭載された車両の概略構成図である。図中の符号１は、運転支援に関する種々の演算処理を司るコントロールユニットである。また、図中の符号２は、自車両（以下、自車とも記す）の位置を検出し、道路案内を行うナビゲーション兼音声・画像モニタであり、符号３は、自車位置を検出するための自車位置センサである。ナビゲーション兼音声・画像モニタ２には、道路形状のデータ、一時停止線の位置データ、道路の制限速度のデータなどが記憶され、コントロールユニット１とデータの授受を行うことができる。また、図中の符号４は、ステアリングホイール１０１の操舵角を検出する操舵角センサ、符号５は、ブレーキペダルの踏込みを検出するブレーキペダルセンサ、符号６は、アクセルペダルの踏込み量を検出するアクセルペダルセンサである。また、図中の符号７は、自車に発生する加速度を検出する加速度センサ、符号８は、自車の走行速度を検出する自車速度センサである。また、図中の符号９は、レーザレーダや赤外線レーダで構成され、自車前方の車両との車間距離や相対速度を検出する前方車間距離・相対速度センサ、符号１０は、同じく、自車両後方の車両との車間距離や相対速度を検出する後方車間距離・相対速度センサである。また、図中の符号１１は、ステアリングホイール（正確にはステアリングシャフト）に振動を付与する（ハプティックとも言う）振動装置である。
【０００７】
図２には、本実施形態の車両用運転支援装置のシステムブロック図を示す。本実施形態のコントロールユニット１内には、前記各センサ３〜１０の出力及びナビゲーション兼音声・画像モニタ２の各データを読込み、運転者（以下、ドライバとも記す）の運転行動指標を算出する運転行動指標算出部１２が設けられている。この運転行動指標算出部１２で算出された運転行動指標は、コントロールユニット１内のメモリに蓄積され、この蓄積された運動行動指標に基づいて安全度算出部１４で安全度の状態、特に安全度の変化の状態を算出する。メッセージ作成部１５は、安全度算出部１４で算出された安全度の状態、特に安全度の変化の状態に応じたメッセージ（情報）を作成し、それを表示装置及び音声装置に相当するナビゲーション兼音声・画像モニタ２に表示したり、振動装置１１でステアリングホイール１０１を振動したりして、ドライバに提示する。一方、コントロールユニット１内に設けられたドライバ対応度合い算出部１６では、過去のメッセージ提示時のドライバの対応度合いを算出し、受容性算出部１７では、過去のドライバの対応度合いからドライバのメッセージに対する受容性を算出する。メッセージに対する受容性とは、そのメッセージをドライバがどの程度受け入れるかの評価指標である。そして、メッセージ作成部１５では、ドライバのメッセージに対する受容性に応じてメッセージの内容を設定する。なお、本実施形態のコントロールユニット１は、ＣＰＵ（Central Processing Unit）やメモリ１３を備えたコンピュータシステムであり、運転行動算出部１２や安全度算出部１４、メッセージ作成部１５、ドライバ対応度合い算出部１６、受容性算出部１７は、後述する演算処理によって構築されている。また、安全度とは、安全性の度合いであり、より安全性である場合に、安全度が高いと定義する。
【０００８】
図３には、図２のコントロールユニット１の各構成要件を構築するための演算処理のゼネラルフローを示す。この演算処理では、まずステップＳ１で、前記各センサ３〜１０の出力及びナビゲーション兼音声・画像モニタ２の各データを読込み、後述する図４の演算処理に従ってドライバの運転行動指標を算出する。
次にステップＳ２に移行して、例えば予め３０分程度に設定された所定時間が経過したか否かを判定し、所定時間が経過した場合にはステップＳ３に移行し、そうでない場合にはステップＳ５に移行する。
【０００９】
ステップＳ３では、前記各センサ３〜１０の出力及びナビゲーション兼音声・画像モニタ２の各データ、或いはメモリ１３に格納されたデータや演算結果を読込んでからステップＳ４に移行する。
ステップＳ４では、後述する図９の演算処理に従って、安全度指標の算出を行ってからステップＳ９に移行する。
一方、ステップＳ５では、前記各センサ３〜１０の出力及びナビゲーション兼音声・画像モニタ２の各データ、或いはメモリ１３に格納されたデータや演算結果を読込んでからステップＳ６に移行する。
ステップＳ６では、後述する図１０の演算処理に従って、ドライバ対応度合いを算出してからステップＳ７に移行する。
【００１０】
ステップＳ７では、後述する図１１の演算処理に従って、ドライバの受容性レベルを算出してからステップＳ８に移行する。
ステップＳ８では、後述する図１３の演算処理に従って、メッセージの明確さ指標を算出してからステップＳ９に移行する。
ステップＳ９では、後述する図１４の演算処理に従って、メッセージを作成する。
次にステップＳ１０に移行して、後述する図１５の演算処理に従って、メッセ維持を出力してからメインプログラムに復帰する。
【００１１】
次に、前記図３の演算処理のステップＳ１で行われるドライバの運転行動指標算出のための演算処理について、図４のフローチャートを用いて説明する。この演算処理では、後述する図５〜図８の演算処理に従って、まずステップＳ１１で、走行シーンの検出を行い、次いでステップＳ１２で運転行動指標の算出を行ってから、図１３の演算処理のステップＳ２に移行する。
【００１２】
本実施形態では、各走行シーンにおける運転行動指標として、先行車両（以下、先行車とも記す）を追従して走行しているとき（以下、先行車追従シーンとも記す）の車間時間（先行車と自車との車間距離を自車速度で除した値）、先行車が接近しているとき（以下、先行車接近シーンとも記す）の接触余裕時間（先行車と自車との車間距離を両者の相対速度で除した値）、自車が単独で走行しているとき（以下、単独走行シーンとも記す）の自車速度と道路の制限速度との差分値、一時停止線から発進したとき（以下、一時停止線発進シーンとも記す）の発進加速度、一時停止線で減速するとき（以下、一時停止線減速シーンとも記す）のブレーキ操作開始時の自車位置と一時停止線の距離、後続車両（以下、後続車とも記す）に追従されているとき（以下、後続車被追従シーンとも記す）の後続車との車間時間（後続車と自車との車間距離を自車速度で除した値）、直線路を走行しているとき（以下、直線路走行シーンとも記す）のステアリングエントロピー（エントロピー：乱雑さ、無秩序さ、不規則さ、といった意味で、この場合はふらつきを意味する）の何れか一つ以上を検出し、その運転行動指標について安全度指数の算出を行う。
【００１３】
一例として、先行車追従シーンの車間時間、先行車接近シーンの接触余裕時間、単独走行シーンの自車速度と道路の制限速度との差分値を、各シーン毎に記録する演算処理について、図５のフローチャートを用いて説明する。この演算処理では、まずステップＳ１０１で、前方車間距離・相対速度センサ９によって先行車が検出されているか否かを判定し、先行車が検出されている場合にはステップＳ１０２に移行し、そうでない場合にはステップＳ１０７に移行する。
【００１４】
ステップＳ１０２では、前方車間距離・相対速度センサ９によって検出されている先行車と自車との相対速度の絶対値が２ｋｍ／ｈ以下であるか否かを判定し、先行車と自車との相対速度の絶対値が２ｋｍ／ｈ以下である場合にはステップＳ１０３に移行し、そうでない場合にはステップＳ１０４に移行する。
ステップＳ１０３では、先行車追従シーンとして、先行車と自車との車間距離を自車速度で除して車間時間を算出し、それをドライバによる運転行動指標として記録してから図３の演算処理のステップＳ２に移行する。
【００１５】
ステップＳ１０４では、前方車間距離・相対速度センサ９によって検出されている先行車と自車との相対速度が−２ｋｍ／ｈ未満であるか否かを判定し、先行車と自車との相対速度が−２ｋｍ／ｈ未満である場合にはステップＳ１０５に移行し、そうでない場合にはステップＳ１０６に移行する。
ステップＳ１０５では、先行車接近シーンとして、先行車と自車との車間距離を先行車と自車との相対速度で除して接触余裕時間を算出し、それをドライバによる運転行動指標として記録してから図３の演算処理のステップＳ２に移行する。
【００１６】
ステップＳ１０６では、シーンの記録をせずに図３の演算処理のステップＳ２に移行する。
一方、ステップＳ１０７では、自車位置センサ３からの出力及びナビゲーション兼音声・画像モニタ２からのデータに基づいて自車位置を検出してからステップＳ１０８に移行する。
ステップＳ１０８では、ナビゲーション兼音声・画像モニタ２からのデータから、走行路の制限速度データを照会してからステップＳ１０９に移行する。
ステップＳ１０９では、単独走行シーンとして、自車速度から制限速度を減じて両者の差分値を算出し、それをドライバによる運転行動指標として記録してから図３の演算処理のステップＳ２に移行する。
【００１７】
また、他の例として、一時停止線発進シーンの発進加速度、一時停止線減速シーンのブレーキ操作開始時の自車位置と一時停止線の距離を、各シーン毎に記録する演算処理について、図６のフローチャートを用いて説明する。この演算処理では、まずステップＳ１１１で、前方車間距離・相対速度センサ９によって先行車が検出されているか否かを判定し、先行車が検出されている場合にはステップＳ１１２に移行し、そうでない場合にはステップＳ１１８に移行する。
【００１８】
ステップＳ１１２では、自車位置センサ３からの出力及びナビゲーション兼音声・画像モニタ２からのデータに基づいて自車位置を検出してからステップＳ１１３に移行する。
ステップＳ１１３では、ナビゲーション兼音声・画像モニタ２からのデータに基づいて、走行路上の一時停止線までの距離データを照会してからステップＳ１１４に移行する。
ステップＳ１１４では、ステップＳ１１３で照会された走行路上の一時停止線までの距離が±３ｍ以下で且つ自車速度が０ｋｍ／ｈであるか否かを判定し、一時停止線までの距離が±３ｍ以下で且つ自車速度が０ｋｍ／ｈである場合にはステップＳ１１５に移行し、そうでない場合にはステップＳ１１６に移行する。
【００１９】
ステップＳ１１５では、一時停止発進シーンとして、発進後、３秒以内での最大加速度を検出し、それをドライバによる運転行動指標として記録してから図３の演算処理のステップＳ２に移行する。
一方、ステップＳ１１６では、一時停止線までの距離が５０ｍ以下であるか否かを判定し、一時停止線までの距離が５０ｍ以下である場合にはステップＳ１１７に移行し、そうでない場合にはステップＳ１１８に移行する。
ステップＳ１１７では、一時停止線減速シーンとして、ブレーキ操作開始時の自車位置と一時停止線との距離を検出し、それをドライバによる運転行動指標として記録してから図３の演算処理のステップＳ２に移行する。
ステップＳ１１８では、シーンの記録をせずに図３の演算処理のステップＳ２に移行する。
【００２０】
また、他の例として、後続車被追従シーンの後続車との車間時間を、シーン毎に記録する演算処理について、図７のフローチャートを用いて説明する。この演算処理では、まずステップＳ１２１で、後方車間距離・相対速度センサ１０によって後続車が検出されているか否かを判定し、後続車が検出されている場合にはステップＳ１２２に移行し、そうでない場合にはステップＳ１２３に移行する。
ステップＳ１２２では、後続車被追従シーンとして、後続車と自車との車間距離を自車速度で除して車間時間を算出し、それをドライバによる運転行動指標として記録してから図３の演算処理のステップＳ２に移行する。
ステップＳ１２３では、シーンの記録をせずに図３の演算処理のステップＳ２に移行する。
【００２１】
また、他の例として、直線路走行シーンのステアリングエントロピーを、シーン毎に記録する演算処理について、図８のフローチャートを用いて説明する。この演算処理では、まずステップＳ１３１で、自車位置センサ３からの出力及びナビゲーション兼音声・画像モニタ２からのデータに基づいて自車位置を検出する。
次にステップＳ１３２に移行して、ナビゲーション兼音声・画像モニタ２からのデータに基づいて道路形状データを照会する。
【００２２】
次にステップＳ１３３に移行して、ステップＳ１３２で照会した道路形状データから、走行している道路形状の曲率半径Ｒが１０００ｍより大きいか否かを判定し、道路形状の曲率半径Ｒが１０００ｍより大きい場合にはステップＳ１３４に移行し、そうでない場合にはステップＳ１３５に移行する。
ステップＳ１３４では、直線路走行シーンとして、操舵角センサ４で検出される操舵角からステアリングエントロピーを算出し、それをドライバによる運転行動指標として記録してから図３の演算処理のステップＳ２に移行する。
ステップＳ１３５では、シーンの記録をせずに図３の演算処理のステップＳ２に移行する。
【００２３】
次に、前記図３の演算処理のステップＳ４で行われる安全度指標の算出について、図９のフローチャートを用いて説明する。この演算処理では、まずステップＳ４１で、所謂普段の運転行動指標として、例えば過去３週間分の運転行動指標の代表値を算出する。この代表値には、例えば前述のようにして記録された運転行動指標の平均値であるとか、或いは所定の累積頻度割合などが挙げられる。所定の累積頻度割合とは、例えば記録された運転行動指標が正規分布する場合に、そのデータの２５％が含まれる車間時間の値とか、逆にデータの７５％が含まれるステアリングエントロピーといったように、選択される運転行動指標に応じて適宜に設定すればよい。なお、この場合は、どちらも、後述する安全度をより厳しく評価するサイドに寄せてある。
【００２４】
次にステップＳ４２に移行して、所謂現在の運転行動指標として、例えば過去３０分の運転行動指標の代表値を、前記ステップＳ４１と同様にして算出する。
次にステップＳ４３に移行して、前記ステップＳ４１で算出された普段の運転行動指標の代表値及びステップＳ４２で算出された現在の運転行動指標の代表値から安全度指標を算出する。本実施形態では、過去３週間分の運転行動指標の代表値から過去３０分の運転行動指標の代表値を減じた値を安全度指標とする。従って、運転行動指標が、先行車追従シーンの先行車との車間時間、先行車接近シーンの接触余裕時間、一時停止線減速シーンのブレーキ操作開始時の自車位置と一時停止線の距離、後続車被追従シーンの後続車との車間時間である場合には、安全度指標が負値なら普段に比べて現在は安全度が高く、正値なら安全度が低いことになる。一方、運転行動指標が、単独走行シーンの自車速度と制限速度の差分値（自車速度が制限速度を越えている場合）、一時停止線発進シーンの発進加速度、直進路走行シーンのステアリングエントロピーである場合には、安全度指標が正値なら普段に比べて現在は安全度が高く、負値なら安全度が低いことになる。
【００２５】
次に、前記図３の演算処理のステップＳ６で行われるドライバ対応度合いの算出について、図１０のフローチャートを用いて説明する。この演算処理では、まずステップＳ６１で、後述する安全度向上メッセージの有効期間内であるか否かを判定し、安全度向上メッセージの有効期間内である場合にはステップＳ６２に移行し、そうでない場合にはステップＳ６７に移行する。この安全度向上メッセージの有効期間としては、例えば予め設定した時間、とか、走行路の種類が高速道路から一般道路といったように切り替わるまで、とか、エンジンを停止するまで、とか、日付が変わるまで、とか、ナビゲーションの目的地が変わるまで、とか、ドライバが変わるまで、という期間が設定可能である。なお、ドライバが変わったか否かは、例えばシート位置やドアミラー位置、ルームミラー位置を変更したか否か、或いは有料道路の自動料金精算システム用カードが変更されたか否か、等を用いることができる。
【００２６】
ステップＳ６２では、最後に安全度向上メッセージを提示したときの現在の運転行動指標の代表値、即ち最後に安全度向上メッセージを提示したときから過去３０分の運転行動指標の代表値を、前述の安全行動指標の代表値と同様に算出してからステップＳ６３に移行する。なお、安全度向上メッセージを提示するときに、常にその過去３０分の運転行動指標の代表値をメモリに記憶し、その記憶値を読込むようにすれば、算出を省略できる。
ステップＰＳ６３では、最後の安全度向上メッセージ定時後の、例えば３０分程度に設定された一定期間の運転行動指標の代表値を、前述の安全行動指標の代表値と同様に算出してからステップＳ６４に移行する。
【００２７】
ステップＳ６４では、前記ステップＳ６２で算出された最後に安全度向上メッセージを提示したときの現在の運転行動指標の代表値から、その後の一定期間の運転行動指標の代表値を減じて個別ドライバ対応度合いを算出してからステップＳ６５に移行する。なお、運転行動指標によって、安全度向上メッセージにドライバが対応した場合の個別ドライバ対応度合いの正負記号が異なる。安全度向上メッセージにドライバが対応した場合の各運転行動指標に応じた正負記号は下記表１のように表れる。
【００２８】
【表１】
2010020365.tif 000003
【００２９】
ステップＳ６５では、交通状況に応じた個別ドライバ対応度合いの補正を行ってからステップＳ６６に移行する。この補正は、運転行動指標に応じて異なるので、以下に、個々の運転行動指標毎に補正方法を列記する。
・先行車追従シーンの先行車との車間時間
自車の後方に後続車があり、この後続車との車間時間が２秒以下の時間の割合がデータ数の５０％以上である場合（後続車との車間距離が短く、先行車との間に長い車間距離をとりにくい状態）、個別ドライバ対応度合いが正値であれば数値を２／３倍する。
先行車が現在の走行路の制限速度を越えている時間の割合がデータ数の５０％以上であった場合（先行車との車間距離が長くなりやすい状態）、個別ドライバ対応度合いが負値であれば数値を２／３倍する。
【００３０】
・先行車接近シーンの先行車との接触余裕時間
過去３０分のうち、先行車の減速度の平均値が２．４５ｍ／ｓ2以上である場合（先行車との車間距離が短くなりやすい状態）、個別ドライバ対応度合いが正値であれば数値を２／３倍する。
過去３０分のうち、先行車の加速度の平均値が１．５ｍ／ｓ2以上である場合（先行車との車間距離が長くなりやすい状態）、個別ドライバ対応度合いが負値であれば数値を２／３倍する。
【００３１】
・単独走行シーンの自車速度と制限速度の差分値
自車の後方に後続車があり、この後続車との車間時間が２秒以下の時間の割合がデータ数の５０％以上であった場合（後続車との車間距離が短く、自車速度を減速しにくい状態）、個別ドライバ対応度合いが負値であれば数値を２／３倍する。
過去３０分で、天候が晴れ若しくは曇りから雨に変わった場合（視認性が低下し、自車速度が減速しやすい状態）、個別ドライバ対応度合いが正値であれば数値を２／３倍する。
【００３２】
・一時停止線発進シーンの発進加速度
一時停止線からの発進時に、後続車があった割合がデータ数の５０％以上である場合（発進加速度が大きくなりやすい状態）、個別ドライバ対応度合いが負値であれば数値を２／３倍する。
一時停止線からの発進時に、ナビゲーションからのデータで前方が渋滞していた割合がデータ数の５０％以上である場合（発進加速度が小さくなりやすい状態）、個別ドライバ対応度合いが正値であれば数値を２／３倍する。
【００３３】
・一時停止線減速シーンのブレーキ操作開始時の自車位置と一時停止線の距離
一時停止線で減速する際に、後方に後続車があった割合がデータ数の５０％以上である場合（後続車に一時停止を認識してもらうためにブレーキ操作が早くなりやすい状態）、個別ドライバ対応度合いが負値であれば数値を２／３倍する。
一時停止線で減速する際に、降雨の割合がデータ数の５０％以上である場合（視認性が低下し、ブレーキ操作が遅くなりやすい状態）、個別ドライバ対応度合いが正値であれば数値を２／３倍する。
【００３４】
・後続車被追従シーンの後続車との車間時間
先行車があり、先行車との車間時間が２秒以下となる時間の割合がデータ数の５０％以上である場合（先行車との車間距離が短く、自車が減速しがちになって後続車との車間距離が短くなりやすい状態）、個別ドライバ対応度合いが正値であれば数値を２／３倍する。
後続車の速度が、現在の走行路の制限速度の半分以下となる時間の割合がデータ数の５０％以上ある場合（後続車の速度が遅く、後続車との車間距離が長くなりやすい状態）、個別ドライバ対応度合いが負値であれば数値を２／３倍する。
【００３５】
・直線路走行シーンのステアリングエントロピー
過去３０分の走行路の曲率半径の平均値が５００ｍ以下である場合（道路が緩やかに曲がっていて修正舵が多くなりやすい状態）、個別ドライバ対応度合いが負値であれば数値を２／３倍する。
過去３０分の走行路の曲率半径の平均値が１０００ｍ以上である場合（道路が殆ど直線状で修正舵が少なくなりやすい状態）、個別ドライバ対応度合いが正値であれば数値を２／３倍する。
【００３６】
ステップＳ６６では、下記表２に従って、ステップＳ６４で算出され且つステップＳ６５で補正された個別ドライバ対応度合いに応じたドライバ対応度合いを算出してから図３の演算処理のステップＳ７に移行する。この表２は、個々の運転行動指標で異なるスケールや次元を合わせるためのものである。例えば先行車追従シーンの先行車との車間時間に関しては、個別ドライバ対応度合いが−１秒以下であればドライバ対応度合いを＋１とし、個別ドライバ対応度合いが０．３秒以上であればドライバ対応度合いを−１とする。また、先行車接近シーンの先行車との接触余裕時間に関しては、個別ドライバ対応度合いが−２秒以下であればドライバ対応度合いを＋１とし、個別ドライバ対応度合いが１秒以上であればドライバ対応度合いを−１とする。また、単独走行シーンの自車速度と制限速度の差分値に関しては、個別ドライバ対応度合いが１０ｋｍ／ｈ以上であればドライバ対応度合いを＋１とし、個別ドライバ対応度合いが−５ｋｍ／ｈ以下であればドライバ対応度合いを−１とする。また、一時停止線発進シーンの発進加速度に関しては、個別ドライバ対応度合いが０．５ｍ／ｓ2以上であればドライバ対応度合いを＋１とし、個別ドライバ対応度合いが−０．２ｍ／ｓ2以下であればドライバ対応度合いを−１とする。また、一時停止線減速シーンのブレーキ操作開始時の一時停止線と自車位置の距離に関しては、個別ドライバ対応度合いが−１０ｍ以下であればドライバ対応度合いを＋１とし、個別ドライバ対応度合いが−３ｍ以上であればドライバ対応度合いを−１とする。また、後続車被追従シーンの後続車との車間時間に関しては、個別ドライバ対応度合いが−１秒以下であればドライバ対応度合いを＋１とし、個別ドライバ対応度合いが０．３秒以上であればドライバ対応度合いを−１とする。また、直線路走行シーンのステアリングエントロピーに関しては、個別ドライバ対応度合いが０．５以下であればドライバ対応度合いを＋１とし、個別ドライバ対応度合いが１以上であればドライバ対応度合いを−１とする。
【００３７】
【表２】
2010020365.tif 000004
【００３８】
次に、前記図３の演算処理のステップＳ７で行われる受容性レベルの算出について、図１１のフローチャートを用いて説明する。この演算処理では、まずステップＳ７１で、受容性レベルの情報が有効期間内であるか否かを判定し、受容性レベルの情報が有効期間内である場合にはステップＳ７２に移行し、そうでない場合にはステップＳ７３に移行する。この受容性レベルの情報の有効期間は、例えば１日に設定する。
【００３９】
ステップＳ７２では、有効期間内の受容性レベルを読込んでからステップＳ７４に移行する。本実施形態では、受容性レベルを図１２に示すレベル１〜レベル５の５段階に区分し、レベル５は受容性レベルが最も高く、レベル１は受容性レベルが最も低いものとして、段階付けする。
ステップＳ７３では、デフォルトの受容性レベルを読込んでからステップＳ７４に移行する。受容性レベルが確定しないときのデフォルトの受容性レベルはレベル３である。但し、過去３週間の受容性レベルの平均値がレベル４以上である場合には、デフォルトの受容性レベルをレベル４とする。逆に、過去３週間の受容性レベルの平均値がレベル２以下である場合には、デフォルトの受容性レベルをレベル２とする。
【００４０】
ステップＳ７４では、図３の演算処理のステップＳ６又は図１０の演算処理で算出されたドライバ対応度合いに基づき、ステップＳ７２又はステップＳ７３で読込まれた受容性レベルを修正してから図３の演算処理のステップＳ８に移行する。この受容性レベルの修正は、ドライバ対応度合いが＋１である場合には、ステップＳ７２又はステップＳ７３で読込まれた受容性レベルを１つ上のレベルとし、ドライバ対応度合いが−１である場合には、ステップＳ７２又はステップＳ７３で読込まれた受容性レベルを１つ下のレベルとする。
【００４１】
次に、前記図３の演算処理のステップＳ８で行われるメッセージの明確さ指標の算出について、図１３のフローチャートを用いて説明する。この演算処理では、まずステップＳ８１で、前記図３の演算処理のステップＳ７又は図１１の演算処理で算出された受容性レベルを読込む。
次にステップＳ８２に移行して、下記表３に従って、受容性レベルに対応した明確さ指標を算出してから図３の演算処理のステップＳ９に移行する。本実施形態では、受容性レベルが高いほど、メッセージの明確さ指標を低く設定することとし、受容性レベルがレベル５の場合には、メッセージの明確さ指標を１とし、受容性レベルがレベル１の場合には、メッセージの明確さ指標を５とする。
【００４２】
【表３】
2010020365.tif 000005
【００４３】
次に、前記図３の演算処理のステップＳ９で行われるメッセージの作成について、図１４のフローチャートを用いて説明する。この演算処理では、まずステップＳ９１で、安全度が低いか否かの判定を行い、安全度が低い場合にはステップＳ９２に移行し、そうでない場合にはステップＳ９４に移行する。この安全度の評価は、前記図３の演算処理のステップＳ４又は図９の演算処理で算出された安全度指標を用い、下記表４に示すように、個々の運転行動指標に応じて行う。例えば先行車追従シーンの先行車との車間時間に関しては、安全度指標が１秒以上であれば安全度が低いとみなし、安全度指標が−１秒以下であれば安全度が高いとみなす。また、先行車接近シーンの先行車との接触余裕時間に関しては、安全度指標が２秒以上であれば安全度が低いとみなし、安全度指標が−２秒以下であれば安全度が高いとみなす。また、単独走行シーンの自車速度と制限速度の差分値に関しては、安全度指標が−１０ｋｍ／ｈ以下であれば安全度が低いとみなし、安全度指標が１０ｋｍ／ｈ以上であれば安全度が高いとみなす。また、一時停止線発進シーンの発進加速度に関しては、安全度指標が−１ｍ／ｓ2以下であれば安全度が低いとみなし、安全度が１ｍ／ｓ2以上であれば安全度が高いとみなす。また、一時停止線減速シーンのブレーキ操作開始時の一時停止線と自車位置の距離に関しては、安全度指標が１０ｍ以上であれば安全度が低いとみなし、安全度指標が−１０ｍ以下であれば安全度が高いとみなす。また、後続車被追従シーンの後続車との車間時間に関しては、安全度指標が１秒以上であれば安全度が低いとみなし、安全度指標が−１秒以下であれば安全度が高いとみなす。また、直線路走行シーンのステアリングエントロピーに関しては、安全度指標が−０．５以下であれば安全度が低いとみなし、安全度指標が０．２以上であれば安全度が高いとみなす。
【００４４】
【表４】
2010020365.tif 000006
【００４５】
ステップＳ９２では、図３の演算処理のステップＳ８又は図１３の演算処理で算出された明確さ指標を読込んでからステップＳ９３に移行する。
ステップＳ９３では、ステップＳ９２で読込まれた明確さ指標に対応した安全度向上メッセージを作成してから図３の演算処理のステップＳ１０に移行する。この明確さ指標に対応した安全度向上メッセージは、例えば下記表５に示すように、明確さ指標が１の場合には、前述した過去３０分における現在の運転行動指標の代表値を示す。また、明確さ指標が２の場合には、前述した過去３０分における現在の運転行動指標のヒストグラムを示す。また、明確さ指標が３の場合には、普段の運転行動指標のヒストグラムに対する現在の運転行動指標のヒストグラムを示す。また、明確さ指標が４の場合には、明確さ指標が４の場合には、普段の運転行動指標のヒストグラムに対する現在の運転行動指標のヒストグラムと、その差異から、現在安全度が高いか、低いかを明文化して示す。また、明確さ指標が５の場合には、普段の運転行動指標のヒストグラムに対する現在の運転行動指標のヒストグラムと、具体的にとるべき運転行動を明文化して示す。具体的には、例えば先行車追従シーンの先行車との車間時間に関しては、例えば図１５のように設定する。即ち、明確さ指標が５（受容性レベルが１）の場合には、図１５ａに示すように、普段の先行車との車間時間と現在の先行車との車間時間のヒストグラム表示し、更に「車間を空けると安全度が向上します」という具体的な表示や音声、更にはステアリングホイールを振動する、といった内容のメッセージとする。また、明確さ指標が４（受容性レベルが２）の場合には、図１５ｂに示すように、普段の先行車との車間時間と現在の先行車との車間時間のヒストグラム表示し、更に「安全度が低くなっています」という比較的具体的な表示や音声、といった内容のメッセージとする。また、明確さ指標が３（受容性レベルが３）の場合には、図１５ｃに示すように、普段の先行車との車間時間と現在の先行車との車間時間のヒストグラム表示し、更に「普段と現在の違い」という表示や音声、といった内容のメッセージとする。また、明確さ指標が２（受容性レベルが４）の場合には、図１５ｄに示すように、現在の先行車との車間時間のヒストグラム及び「現在の運転状態」という表示、といった内容のメッセージとする。また、明確さ指標が１（受容性レベルが５）の場合には、図１５ｅに示すように、車間時間の平均値を表示する、といった内容のメッセージとする。
【００４６】
【表５】
2010020365.tif 000007
【００４７】
一方、ステップＳ９４では、前記ステップＳ９１の判定と同様に、前記表５を用いて、安全度が高いか否かの判定を行い、安全度が高い場合にはステップＳ９５に移行し、そうでない場合にはステップＳ９７に移行する。
ステップＳ９５では、ドライバの受容性レベルが低いか否かを判定し、ドライバの受容性レベルが低い場合にはステップＳ９６に移行し、そうでない場合にはステップＳ９７に移行する。
【００４８】
ステップＳ９６では、高安全度状態メッセージの作成を行ってから図３の演算処理のステップＳ１０に移行する。高安全度状態メッセージとは、例えば「安全度の高い状態にあります」という表示や音声のメッセージからなる。この高安全度状態メッセージは、文字通り、安全度の高い状態を示しているが、受容性レベルの低いドライバに対して、肯定的なメッセージを提示することで、現在の安全度の高い運転行動を認識してもらうことができる。
【００４９】
一方、ステップＳ９７では、メッセージを作成することなく、図３の演算処理のステップ１０に移行する。
次に、前記図３の演算処理のステップＳ１０で行われるメッセージの作成について、図１６のフローチャートを用いて説明する。この演算処理では、まずステップＳ２０１で、図３の演算処理のステップＳ９又は図１４の演算処理で安全度向上メッセージが作成されたか否かを判定し、安全度向上メッセージが作成された場合にはステップＳ２０２に移行し、そうでない場合にはステップＳ２０４に移行する。
ステップＳ２０２では、図３の演算処理のステップＳ７又は図１１の演算処理で算出されたドライバの受容性レベルを読込んでからステップＳ２０３に移行する。
【００５０】
ステップＳ２０３では、下記表６に従って、ステップＳ２０２で読込まれたドライバの受容性レベルに応じた出力を行ってからメインプログラムに復帰する。具体的には、ドライバの受容性レベルが５の場合には、前述した安全度向上メッセージを小さく表示する。また、ドライバの受容性レベルが４の場合には、前述した安全度向上メッセージを大きく表示する。また、ドライバの受容性レベルが３の場合には、前述した安全度向上メッセージを大きく表示すると共に、小さな音量の音声を発生する。また、ドライバの受容性レベルが２の場合には、前述した安全度向上メッセージを大きく表示すると共に、大きな音量の音声を発生する。また、ドライバの受容性レベルが１の場合には、前述した安全度向上メッセージを大きく表示すると共に、大きな音量の音声を発生し、更にステアリングホイールを振動する（ハプティック）。なお、下記表６中の提示確率は、本実施形態の場合、走行シーンが継続しているときには３０分ごとに安全度向上メッセージが作成される可能性があるが、受容性レベルの高いドライバにとって、頻繁に安全度向上メッセージが提示されるのは煩わしい。そこで、ドライバの受容性レベルが高いほど、安全度向上メッセージの提示確率を小さくして、煩わしさを軽減する。ちなみに、定期的な安全度向上メッセージは提示しないが、安全度向上メッセージが作成された場合には、例えば図１７に示すように「安全度の診断結果※停車時にご覧下さい」という表示をナビゲーション兼音声・画像モニタ２に表示し、ドライバのニーズに応じて停車中に安全度向上メッセージを提示するようにしてもよい。
【００５１】
【表６】
2010020365.tif 000008
【００５２】
一方、ステップＳ２０４では、図３の演算処理のステップＳ９又は図１４の演算処理によって高安全度状態メッセージが作成されたか否かを判定し、高安全度状態メッセージが作成された場合にはステップＳ２０５に移行し、そうでない場合にはステップＳ２０６に移行する。
ステップＳ２０５では、受容性レベルの低いドライバに対し、高安全度状態メッセージを大きな表示及び小さな音量の音声で提示してからメインプログラムに復帰する。
ステップＳ２０６では、メッセージの出力をせずにメインプログラムに復帰する。
【００５３】
以上より、各センサ３〜１０及びナビゲーション兼音声・画像モニタ２及び運転構造指標算出部１２或いは図３の演算処理のステップＳ１又は図４〜図８の演算処理が本発明の運転行動検出手段を構成し、以下同様に、メッセージ作成部１５及びナビゲーション兼音声・画像モニタ２及び振動装置１１或いは図３の演算処理のステップＳ９及びステップＳ１０又は図１４及び図１６の演算処理が情報提示手段を構成し、受容性算出部１７或いは図３の演算処理のステップＳ６及びステップＳ７又は図１０及び図１１の演算処理が受容性算出手段を構成し、図３の演算処理のステップＳ８又は図１３の演算処理が明確さ算出手段を構成し、ナビゲーション兼音声・画像モニタ２及び振動装置１１が情報提示手段を構成している。
【００５４】
このように本実施形態のサスペンション装置によれば、以下のような効果が得られる。即ち、
（１）運転行動指標算出部１２で検出されたドライバの運転行動指標に基づいて運転を支援するためのメッセージをメッセージ作成部１５で作成して提示すると共に、過去に運転を支援するためのメッセージを提示したときのドライバの対応度合いから情報に対するドライバの受容性レベルを受容性算出部１７で算出し、その算出されたドライバの受容性レベルに基づいて運転を支援するためのメッセージを設定することとしたため、同じドライバでも、その時々に応じた運転支援を可能とすると共に、安全度を向上するためのメッセージに対するドライバの対応度に応じてメッセージ内容を設定することができる。
【００５５】
（２）受容性算出部１７で算出されたドライバの受容性レベルに基づいて運転を支援するメッセージの明確さ指標を算出し、その算出された明確さ指標に基づいて運転を支援するためのメッセージの内容を設定することとしたため、運転を支援するためのメッセージの内容に幅を持たせ、より広いタイプのドライバや状況に対応することが可能となる。
（３）ドライバの受容性レベルが高いほど、運転を支援するメッセージの明確さ指標を低く設定することとしたため、受容性の低いドライバには理解しやすいメッセージを提示でき、受容性の高いドライバには不要なメッセージを回避して煩わしさを低減することができる。
【００５６】
（４）明確さ指標が高いほど、安全度を向上するためのメッセージの明確さを高めることにより、受容性の低いドライバにメッセージの内容を理解してもらいやすくなる。
（５）明確さ指標が高いほど、安全度を向上するためのメッセージを具体化することにより、受容性の低いドライバでも、安全度を向上するための運転行動を行いやすくなる。
（６）ドライバの受容性レベルが低いほど、運転を支援するメッセージ提示の機会を大きくすることにより、受容性の低いドライバには注意を喚起することができ、受容性の高いドライバには煩わしさを低減することができる。
【００５７】
（７）ドライバの受容性レベルが低いほど、運転を支援するメッセージ提示手段を増やすことにより、受容性の低いドライバには具体的に注意を喚起することができ、受容性の高いドライバには具体的に煩わしさを低減することができる。
（８）ドライバの受容性レベルが低いほど、運転を支援するメッセージ提示の頻度を増やすことにより、受容性の低いドライバには具体的に注意を喚起することができ、受容性の高いドライバには具体的に煩わしさを低減することができる。
（９）ドライバの受容性レベルが低く且つ現在の自車の安全度が高い場合に、安全度が高い状態にある旨の高安全度状態メッセージを提示することにより、安全度の高い運転行動を認識してもらうことができる。
【００５８】
（１０）ドライバの受容性レベルを複数の段階に区分すると共に、ドライバの受容性レベルを確定できないときには予め設定されたデフォルトの段階とすることにより、運転を支援するためのメッセージに汎用性を付与することができると共に、受容性レベルを定量化することができる。
（１１）過去に情報を提示したときのドライバの運転行動に基づいて、それまでのドライバの受容性レベルを修正することで新たなドライバの受容性レベルを設定することにより、同じドライバでも、その時々に応じた安全度を向上するためのメッセージ内容を設定することができる。
【００５９】
（１２）所定期間毎にドライバの受容性レベルの段階を初期化すると共に、初期化に際し、それまでのドライバの受容性レベルの段階に応じて初期化されるドライバの受容性レベルの段階を設定することにより、現在のドライバのメッセージに対する対応度に応じた受容性レベルを先読みして設定することが可能となり、効果を早めに発現することができる。
【００６０】
（１３）ドライバの運転行動として、車両の走行状態、ドライバの操作状態、道路状態、自車の位置、周辺車両との相対関係の何れか一以上の物理指標を用いることにより、ドライバの運転行動を適切に評価することができる。
（１４）ドライバの運転行動としての物理指標は、予め設定された走行シーンでの物理指標であることとしたため、ドライバの運転行動を走行シーン毎に適切に評価することができる。
【００６１】
（１５）現在から過去の所定長期間にわたって検出されたドライバの運転行動としての物理指標の代表値と、現在から過去の所定短期間にわたって検出されたドライバの運転行動としての物理指標の代表値との差分値に基づいて安全度の変化を求め、その安全度の変化に応じて運転を支援するためのメッセージを設定することにより、普段と現在の違いをメッセージに反映することができ、これにより個々のドライバの、現在の運転行動を適切に評価することができる。
【００６２】
（１６）周辺環境又は運転環境に基づき、現在から過去の所定短期間で発生し得る安全度の変化を求め、その発生し得る安全度の変化に応じて普段の物理指標の代表値と現在の物理指標の代表値の差分値を補正することにより、当たり前の、或いはやむを得ない安全度の変化を除去することができ、これにより個々のドライバの、現在の運転行動を適切に評価することができる。
（１７）運転を支援するためのメッセージに有効期限を設けたことにより、状況の変化に伴うドライバの運転行動の変化を排除し、現在の運転行動を適切に支援することが可能となる。
【００６３】
なお、ドライバの受容性レベルやメッセージの明確さ指標の段階は、前記実施形態のものに限定されるものではない。また、ドライバの運転行動指標そのものも、前記実施形態のものに限定されるものではない。本発明は、あくまでもドライバの受容性を考慮してメッセージを設定するものであり、受容性の程度に応じて、メッセージの明確さを調整したり、メッセージ提示の機会を調整したりするものであり、受容性レベルやメッセージの明確さ指標の段階区分の数や、運転行動指標自体も、必要に応じて適宜に設定すればよい。
【図面の簡単な説明】
【００６４】
【図１】本発明の車両用運転支援装置を適用した車両の第１実施形態を示す概略構成図である。
【図２】図１の車両用運転支援装置のブロック図である。
【図３】図１のコントロールユニットで行われる運転支援メッセージ提示のための演算処理を示すフローチャートである。
【図４】図３の演算処理で行われるサブルーチンのフローチャートである。
【図５】図３の演算処理で行われるサブルーチンのフローチャートである。
【図６】図３の演算処理で行われるサブルーチンのフローチャートである。
【図７】図３の演算処理で行われるサブルーチンのフローチャートである。
【図８】図３の演算処理で行われるサブルーチンのフローチャートである。
【図９】図３の演算処理で行われるサブルーチンのフローチャートである。
【図１０】図３の演算処理で行われるサブルーチンのフローチャートである。
【図１１】図３の演算処理で行われるサブルーチンのフローチャートである。
【図１２】受容性レベルの段階の説明図である。
【図１３】図３の演算処理で行われるサブルーチンのフローチャートである。
【図１４】図３の演算処理で行われるサブルーチンのフローチャートである。
【図１５】明確さ指標に応じたメッセージの説明図である。
【図１６】図３の演算処理で行われるサブルーチンのフローチャートである。
【図１７】メッセージが提示されなかったときの安全度評価の説明図である。
【符号の説明】
【００６５】
１はコントロールユニット、２はナビゲーション兼音声・画像モニタ、３は自車位置センサ、４は操舵角センサ、５はブレーキペダルセンサ、６はアクセルペダルセンサ、７は加速度センサ、８は自車速度センサ、９は前方車間距離・相対速度センサ、１０は後方車間距離・相対速度センサ、１１は振動装置、１２は運転行動指標算出部、１３はメモリ、１４は安全度算出部、１５はメッセージ作成部、１６はドライバ対応度合い算出部、１７は受容性算出部
【図１】
2010020365.tif 000009
【図２】
2010020365.tif 000010
【図３】
2010020365.tif 000011
【図４】
2010020365.tif 000012
【図５】
2010020365.tif 000013
【図６】
2010020365.tif 000014
【図７】
2010020365.tif 000015
【図８】
2010020365.tif 000016
【図９】
2010020365.tif 000017
【図１０】
2010020365.tif 000018
【図１１】
2010020365.tif 000019
【図１２】
2010020365.tif 000020
【図１３】
2010020365.tif 000021
【図１４】
2010020365.tif 000022
【図１５】
2010020365.tif 000023
【図１６】
2010020365.tif 000024
【図１７】
2010020365.tif 000025